(57)【要約】【課題】被験者の肌への負担をかけることなく、敏感肌を判別する方法の提供。【解決手段】神経の感覚刺激感受性及び角層への物質浸透性を測定し、これらの計測データに基づいて被験者の肌質を判別する方法。【選択図】  なし【特許請求の範囲】
【請求項１】
神経の感覚刺激感受性及び角層への物質浸透性を測定し、これらの計測データに基づいて被験者の肌質を判別する方法。
【請求項２】
神経の感覚刺激感受性を電流知覚閾値により測定する請求項１記載の方法。
【請求項３】
角層への物質浸透性を光音響スペクトル法により測定する請求項１又は２に記載の方法。
【発明の詳細な説明】
【０００１】
【発明の属する技術分野】
本発明は、美容的観点からヒトの肌質を判別する方法に関し、特に被験者がいわゆる敏感肌であるか健常肌であるかを判別する方法に関する。
【０００２】
【従来の技術】
従来、ヒトの肌質を判別する方法としては、（１）顔や腕等の身体部位における肌の色や艶、血流の状態、うるおいやかさつき度合等を定量的に又は定性的に評価する方法、（２）皮脂量の程度を測定する方法、（３）肌のきめやしわといった表面形態を観察評価する方法などが提案されている。
近年、敏感肌意識を有する女性が増加する傾向にあり、化粧料についてもより刺激の少ないものが要望されるようになっている。この観点から、種々の化粧料の肌に対する刺激の有無や程度を評価したり、被験者が敏感肌であるかどうかを客観的に判別する方法が求められている。
【０００３】
化粧料の刺激性を評価する方法としては、化粧料そのものあるいはその原料物質を肌に直接塗布するか、あるいはチャンバーで閉塞することによるパッチテストなどの方法や、乳酸、クエン酸などの刺激物質と言われるものを肌に塗布してその刺激の度合いを官能的に評価するスティンギング法が知られている。
【０００４】
一方、特許文献１、特許文献２等においては、敏感肌を鑑別するより定量的な方法として、角質細胞面積を測定する方法が提案されている。
また、皮膚の感覚閾値を知る方法として、皮膚に刺激を感じる電流の強さによって示す方法が提案されている（特許文献３）。
【０００５】
【特許文献１】
特開平１０−１４２２２４号公報
【特許文献２】
特開平１１−３０４７９８号公報
【特許文献３】
特開２００２−３６０５３１号公報
【０００６】
【発明が解決しようとする課題】
しかし、パッチテストやスティンギング法は、試料を直接肌に塗布するために被験者の肌に負担がかかることが否めない。また、角質細胞面積を測定する方法は、肌性状を知る上で有効な方法ではあるが、神経の刺激感受性など感覚刺激を伴う肌質を判別するのには充分ではない。
本発明の目的は、被験者の肌への負担を最小限にして、化粧料に対する刺激感受性の高い敏感肌を判別する方法を提供することにある。
【０００７】
【課題を解決するための手段】
本発明者らは、神経の感覚刺激感受性についての特性データと角層への物質浸透性についての特性データとを合わせて用いることにより、被験者の肌質が化粧料に対する刺激感受性の高い敏感肌であるかどうかを判別することができることを見出した。
【０００８】
即ち、本発明は、神経の感覚刺激感受性及び角層への物質浸透性という２種の物理量を測定し、これらの計測データに基づいて被験者の肌質を判別する方法を提供するものである。
【０００９】
【発明の実施の形態】
種々の化学物質や化粧料等の試料を直接肌に塗布することなく、神経の感覚感受性を評価する方法としては、電気信号による知覚閾値の測定が好ましい。これは、所定の周波数で所定の電流を発生させ、その電流量を任意に調整しながら肌表面に供給して感覚刺激を発生させ、知覚閾値を測定する方法である。本発明においては、特に、電流知覚閾値の測定により得られるＣＰＴ値を用いる。
【００１０】
ＣＰＴ（Ｃｕｒｒｅｎｔ  Ｐｅｒｃｅｐｔｉｏｎ  Ｔｈｒｅｓｈｏｌｄ：電流知覚しきい値）は、感覚を呼び起こすのに必要な特定の神経電気刺激の最小値であり、ＣＰＴ値を測定する装置としては、例えば、ＮＥＵＲＯＴＲＯＮ，ＩＮＣＯＲＰＯＲＡＴＥＤ社製のＮＥＵＲＯＭＥＴＥＲＴＭが例示される。この装置では、５Ｈｚ、２５０Ｈｚ、２０００Ｈｚの３つの異なった周波数の刺激を使用してＣＰＴ値を測定することができる。本発明の目的には、中でも２５０ＨｚでのＣＰＴ値が好ましい。
【００１１】
一方、角層への物質浸透性を評価する方法としては、光音響法、クロマトグラフィー法、吸光度測定法、色差法等、公知の手法を応用することができる。本発明においては、特に、光音響スペクトル法（Ｐｈｏｔｏａｃｏｕｓｔｉｃ  Ｓｐｅｃｔｒｏｓｃｏｐｙ：ＰＡＳ法）が、肌を無侵襲で測定することができるので好ましい。
【００１２】
ＰＡＳ法の基本的な装置構成としては、肌表面に光を供給することのできる光源（例えば、レーザー光源、キセノンランプ、ハロゲンランプ、タングステンランプ等）、音波検出部、光音響信号を解析する信号処理部、肌に接するセル部を挙げることができる。更に、光源としてパルス光を用い、照射後の過渡的光音響信号を検出するもの（特開平１０−１９７４９６号公報）、集音機能を有するセル（特開平９−２９２３２７号公報）や共鳴セル（特開平４−３５７４４０号公報）を備えたもの等も使用することができる。
中でも、より高感度であり、深さ方向の情報が得られるという点から、集音セルを備えたＰＡＳ装置が好ましく、次いで、非線形最小二乗法を用いる情報解析部を有するＰＡＳ装置や、共鳴セルを有するＰＡＳ装置が好ましい。
【００１３】
ＰＡＳ法による角層への物質浸透性の評価は、具体的には皮膚にある種の色素を塗布して行う色素信号強度値の測定である。色素としては、黄色４号（タートラジン）、赤色２１５号等が好適に用いられる。
【００１４】
以上の２種の物理量について計測を行ったデータより、それらを組み合わせて解析することにより、各々単独で解析する場合に比べて有意に肌質の判別を行うことができることがわかった。上記２種の物理量以外にも、例えば、経皮水分蒸散量（ＴＥＷＬ）、角層水分量、血中総ＩｇＥ量の測定データ等も考慮して解析することで、より精度の高い判定を行うことが可能である。
以下に実施例を示して、その有用性を説明する。
【００１５】
【実施例】
２０代〜５０代の日本人女性２９名を被験者として、ＰＡＳ法による色素強度値（色素はタートラジン）と、２５０ＨｚにおけるＣＰＴ値を測定した。ＣＰＴ値の測定には、ＮＥＵＲＯＭＥＴＥＲＴＭ（ＮＥＵＲＯＴＲＯＮ，ＩＮＣＯＲＰＯＲＡＴＥＤ社製）を用いた。
一方、同じ被験者に対して、下記の化粧水１を肌に適用したときの刺激の有無について問診を行った。これらの結果を表１〜表３に合わせて示す。
【００１６】
【表１】
2004357975.tif 000002
【００１７】
【表２】
2004357975.tif 000003
【００１８】
【表３】
2004357975.tif 000004
【００１９】
ここでは、ＰＡＳ法の色素信号強度値及びＣＰＴ値について、２９名の各平均値を求め、該平均値を基準として、それ以上／それ未満に二分して解析した。
即ち、ＰＡＳ法の色素信号強度値が２．６以上、または２５０ＨｚＣＰＴ値が１４．５未満のいずれか、あるいはその両方を満たす場合を「敏感」とし、ＰＡＳ法の色素信号強度値が２．６未満、かつ２５０ＨｚＣＰＴ値が１４．５以上である場合を「非敏感」とした。
その結果、２９名中１６名について、ＰＡＳとＣＰＴの測定データに基づく判定と、化粧水１による刺激の有無が一致した。
【００２０】
この他、ＰＡＳ及びＣＰＴの測定結果に基づき、被験者を二以上の群に分けて、敏感肌の主観的、客観的傾向を解析することもできる。
かかる知見は、２種の物理量の計測データに基づいて、敏感肌であるかそうでないかを有意に判別できる可能性を示唆する。
【００２１】
2004357975.tif 000005
【００２２】
【発明の効果】
本発明によれば、被験者の肌に種々の化学物質や化粧料を塗布して負担をかけることなく、無侵襲の手段により、化粧料に対して刺激感受性が高い敏感肌であるかどうかを容易に判別することができる。
従って、化粧料に対する刺激感受性の高い敏感肌を判別することができ、化粧品の製品開発における刺激性評価などに寄与できる。また、店頭での化粧品カウンセリング等で本発明を用いることにより、化粧方法や化粧料の選択など適切なアドバイスが可能となる。